(57)【特許請求の範囲】
【請求項１】
本体と、該本体内に設けられる回路基板と、該本体の前方に設けられ、体温を測るために上記回路基板に電気的に接続される金属ヘッドと、上記本体を覆い、その前方へテーパー状に延出する測量端を有するフレキシブルボディーと、該フレキシブルボディーから分離可能で、上記金属ヘッドと上記測量端の末端との間に噛み合い結合される硬質接続ユニットと、上記フレキシブルボディーの尾端に着脱自在に取り付けられるカバーから構成され、
上記フレキシブルボディーが、上記本体の前端から尾端まで全体的に延設されると共に、上記回路基板のスイッチを指で押してスイッチオン／オフする押し部と、該押し部の周縁にあって該押し部を容易に変形させてスイッチオン／オフを可能にする環状溝とを有し、また、尾端近くの周囲に形成される突出壁と該突出壁に隣接する周囲に形成されるロック溝とを形成し、さらに、電子体温計を指で保持するために及び本体を装飾するために、該フレキシブルボディーの両側に対称的に具備される２つの突出紋を有し、
上記カバーが、上記突出壁と上記ロック溝の外形に合わせた内凹縁を有し、
該内凹縁が、押されて上記突出壁を上記ロック溝と防水的に係合する、
ことを特徴とするフレキシブル構造を持つ電子体温計。
【請求項２】
前記硬質接続ユニットが、前記フレキシブルボディーと金属ヘッドの外側に露出しているすべすべした表面を有する、
ことを特徴とする請求項１に記載のフレキシブル構造を持つ電子体温計。
【請求項３】
前記本体を覆う前記フレキシブルボディーが、上下表面にそれぞれ開口部を有し、
それにより、表示部を覗くための目視窓が形成され、これら開口部にそれぞれパネルが付設して、上記押し部を位置決めし、透明の目視窓が縮められる、
ことを特徴とする請求項１に記載のフレキシブル構造を持つ電子体温計。
【発明の詳細な説明】
【技術分野】
【０００１】
本発明は、フレキシブル構造を持つ電子体温計の設計に関するものであり、特に、測量端にフレキシブルボディーを具有するという体温計を指す。その測量端の先端と金属ヘッドとの間に適当な長さの硬質接続ユニットを接続する。それで、温度を測っているうちに測量端が曲げられても、測量端の高い強度で断ち切られず、安全性がある。しかも、簡易に接続ユニットの汚れを拭いて、衛生安全性を具有する。また、フレキシブルボディーは、適当に体温計の本体を覆って、一体成型のように防水の押し部、密封の突出壁および突出紋などを設置するので、押しスイッチがあり、防水、美観および握り利便の効果を遂げるばかりでなく、加工のプロセスも減らされ、製造コストも低降される。体温計は透明の材料で作られ、フレキシブルボディーで適当に覆われて、利便に握られる以外、自然に透明の目視窓も形成される。
【背景技術】
【０００２】
従来から、伝統の電子体温計の本体および前方から延ばされた測量端は、通常、プラスチック材料で一体化のように成形される。測量端で測っているうちに、折り曲げられなくて変形しないので、ユーザにとって相当に不便だと言える。そして、若干の電子体温計の業者はユーザの利便を測るために、フレキシブル測量端の結構を設計した。そのフレキシブル結構は、通常、軟性のゴム材料から作られるので、ユーザが測っているうちに、適当に折り曲げる動作をやってもよい。
【０００３】
でも、そんなフレキシブル測量端の結構を具有する体温計は、利便に折り曲げられるが、数多の問題も生じる。例えば、悪い結構の強度および悪い衛生安全性などの問題を招く。また、伝統の電子体温計も、加工プロセス繁雑および高い製造コストなどの欠陥がある。以下、いくつかの既存の特許を挙げて、その欠点を調べて見よう。
【０００４】
１．同時に、図１および図２を御参照して下さい。“軟質電子体温計の結構改良”の構造は体温計の本体４０を設ける（特許文献１参照）。本体４０の前半きりはプロッブ４１である。プロッブ４１の先端内部には、硬質プラスチックから作られる接続ソケット４２がある。そんな接続ソケット４２を経由して、本体４０の前半きりのプロッブ４１と金属の温度センサー４３とを結ぶ。
【０００５】
図３を御参照して下さい。本体４０を持ち、温度を測っているうちに、プロッブ４１が軟性材料（例えば、ゴム材料）で作られたら、接続ソケット４２が力で折り曲げられると、接続ソケット４２が硬質材料で製造され、接続ソケット４２が短小状になって、小さい内径のプロッブ４１の先端に配置されているせいで、接続ソケット４２が軟性のプロッブ４１を押して圧迫する。接続ソケット４２とプロッブ４１との連結箇所が何回か折り曲げられると、折り曲げられる応力はが絶えず小さい内径の連結箇所４６に集中するので、連結箇所４６はついに断ち切られる。結局、結構の強度が悪くて、安全性が不足していることが分かる。
【０００６】
また、プロッブ４１が軟性材料で作られたら、特に、ゴム材料で作られる場合に、その密度が高くなく、表面がざらざらしているので、温度を測っているうちに、プロッブ４１に汚れが付きやすく、汚れを拭くことが困難だと言え、衛生性が悪い。
【０００７】
図１および図２を調べると、次のことが分かる。軟性材料から作られるプロッブ４１は、ただ体温計の本体４０（本体４０は通常硬質材料から製作されるもの）の先端に設置され、体温計の本体４０の全体又は局部を覆うので、プロッブ４１と体温計の本体４０との連結固定箇所は体温計の本体４０の先端の局部材料に限られる。結局、結合面積が小さくて、相対的に結合力および結合強度があまり良くない。そして、軟性材料から作られるプロッブ４１が全体覆い方式又は局部方式で体温計４０と結合したら、プロッブ４１と体温計４０との連結強度が良くなる。
【０００８】
本体４０は多くの欠点がある。例えば、本体４０が透明状ではなくて、表面にノッチ４４が必要である。それで、本体４０における表示スクリーン４５が露出される。また、本体４０の表面にはユーザの手が握るための適当な突出紋が設計されないので、握る効果が理想だと言えないばかりでなく、美観もない。ひどいのになると、本体４０の後方におけるカバーの目的は防水の効果を強化する。通常、本体４０の末端に、弾性を持つガスケットを追加する。そうすると、加工プロセスおよび製造コストがともに増加される。
【０００９】
以上の内容をまとめると、軟性のプロッブ４１が、ただ本体４０の前方に配置され、適当に本体４０を覆わなくて、一体化のように突出紋および防水ガスケットを設けないので、結合強度があまり良くない以外、加工プロセスおよび製造コストがアップされる。
【００１０】
２．図４を御参照ください。体温計の改良結構を掲示する（特許文献２参照）。そんな構造も同様に体温計の本体５０を設けて、本体５０の先端はフレキシブルプロッブ５１を具有する。基本的に言えば、上述した特許文献１“軟質電子体温計の結構改良”と同じ欠点も存在している。その構造も相当に複雑である。
【００１１】
３．図５を御参照ください。体温計の改良結構を掲示する（特許文献３参照）。そんな構造には体温計の本体６０が設けられ、本体６０の先端は測量端６１を具有する。測量端６１の前端に接続ユニット６２が配置され、金属のヘッドを連結して設置する。
【００１２】
同様に、そんな構造は特許文献１“軟質電子体温計の結構改良”と類似し、接続ユニット６２も短くて小さいように測量端６１の前端内部に設置される。測量端６１の連結箇所が何回か折り曲げられると、同様に断ち切られる現象も度々起きる。つまり、結構の強度が悪くて、安全性も不足する。また、測量端６１が軟性材料で作られ、表面はざらざらしているので、プロッブ６１に汚れが付きやすく、汚れを拭くことが難しい。
【００１３】
図５を調べると、次のことが分かる。軟性材料から作られるプロッブ６１が、ただ体温計の本体６０（本体６０は通常硬質材料から製作されるもの）の先端に設置され、体温計の本体６０の全体又は局部を覆うので、プロッブ６１と体温計の本体６０との連結固定箇所は体温計の本体６０の先端の局部材料に限られる。結局、結合面積が小さくて、相対的に結合力および結合強度があまり良くない。そして、軟性材料から作られるプロッブ６１が全体覆い方式又は局部方式で体温計６０と結合したら、プロッブと体温計６０との連結強度が良くなる。
【００１４】
本体６０も多くの欠点がある。例えば、本体６０が透明状ではなくて、表面にノッチが必要である。それで、本体６０における表示スクリーンが露出される。また、本体６０の表面にはユーザの手が握るための適当な突出紋が設計されないので、握る効果が理想的だと言えないばかりでなく、美観もない。別に設置すると、加工プロセスおよび製造コストが増加される。ひどいのになると、本体６０の後方におけるカバーの目的は防水の効果を強化する。通常、本体６０の末端に、弾性を持つガスケットを追加する。そうすると、加工プロセスおよび製造コストがともに増加される。
【００１５】
以上の内容をまとめると、軟性のプロッブ６１がただ本体６０の前方に配置され、適当に本体６０を覆わなくて、一体化のように突出紋および防水ガスケットを設けないので、結合強度があまり良くない以外、加工プロセスおよび製造コストがアップされる。
【００１６】
また、一般的な温度計に設けた防水スイッチの押し部は薄いフィルム状（又は別にスイッチを設置すること）である。それを押すと、変形しますが、変形の程度が不充分である。体温計の内部に設けるスイッチが小さいので、押し部の下方に硬質材料を追加しなければ、スイッチを作動できない。その結果、製造コストも高い。
【００１７】
【特許文献１】台湾特許公告第４９５０２４号
【特許文献２】米国特許第５１６５７９８号
【特許文献３】米国特許第６３７９０３９号
【発明の開示】
【発明が解決しようとする課題】
【００１８】
したがって、本発明の目的は、フレキシブル測量端が衛生性を持ち、フレキシブル測量端の折り曲げが断ち切られるという体温計の構造を提供することにある。
また、本発明の目的は、加工プロセスが少なく、製造コストも低いという体温計の構造を提供することにある。
さらに、本発明の目的は、容易に製造できる体温計の構造を提供することにある。
またさらに本発明の目的は、利便にユーザの手で握られるという体温計の構造を提供することにある。
さらにまた本発明の目的は、優れた結合強度の測量端を持つという体温計の構造を提供することにある。
【００１９】
本発明の構造は、主に、フレキシブルボディーを具有する体温計の本体を設ける。フレキシブルボディーの末端に測量端を設置し、適当な長さの硬質接続ユニット（例えば、プラスチック材料）を接続する。それで、金属のヘッドを結ぶので、測量端が曲がるときに、受けた応力はより大きな内法口径の根部に集中し、測量の先端は優れた結構強度が得られ、測量端の安全性がある。しかも、硬質接続ユニットの表面がすべすべとしているように外部から露出されるので、温度を測っているうちに、汚れが付き難く、簡易に汚れを拭いて、衛生安全性を具有する。
【００２０】
また、本発明の構造として、体温計の本体に設けるフレキシブルボディーは、適当に体温計の本体を覆うために、フレキシブルボディーの前方の延ばされた測量端から覆われた体温計の本体尾端まで一体化のように形成される。さらに、フレキシブルボディーの局部は防水の押し部として優れた押し変形程度がある。それを押すときに、別に硬質材料を追加しなくてもよく、つまり、直接本体の中の回路基板に設けるスイッチを押す。フレキシブルボディーの本体末端には一体化形成の密封の突出壁があるので、全体から見ると、製造コストを省く効果に役立つ。
【００２１】
さらに本発明の構造は体温計の本体が透明の材料から作られ、しかも、フレキシブルボディーを覆う。フレキシブルボディーの表示スクリーンに対応する箇所に開口部を設置することにより、本体には自然に透明の目視窓が形成される。
【００２２】
またさらに本発明の構造は体温計の本体を覆ったフレキシブルボディーの両側に一体化のように突出紋を形成して、利便に人体の手部で握られる。
さらにまた本発明の構造は体温計の本体に設けるフレキシブル測量端が後へ延ばされ、しかも、適当に体温計の本体を覆って、結合面積を大きくさせ、結合の力を強化させる。
【発明を実施するための最良の形態】
【００２３】
本発明の目的、特徴および効果などをご了解なさるために、以下、さらに具体的な実施例を図面をあわせて詳しく説明してみよう。
まずは図６、図７、図８および図９を御覧下さい。本発明の一実施例による構造は、主に、体温計の本体１０を設ける。本体１０に測量用の回路基板１１を設け、後方にカバー１２を設け、前方に金属ヘッド１３を設ける。
【００２４】
本体１０は透明の材料から作られ、しかも、適当にフレキシブルボディー２０（例えば、軟質のゴム）を覆う。フレキシブルボディー２０は、前方から覆われた体温計の本体１０の尾端まで一体化のように成型されるので、結合面積が大きく、結合の力を強化させる。フレキシブルボディー２０の尾端に、一体化のように傾斜面を具有する密封の突出壁２４１およびロック溝２４２を成型する。後のカバー１２にも突出壁２４１およびロック溝２４２の外形に合わせる内凹縁１２１が設けられるので、後方のカバー１２をかぶせるときに、緊密にかけられ、防水の密封効果を遂げる。
【００２５】
フレキシブルボディー２０には回路基板１１の電子表示スクリーン１１との対応した箇所に開口部２１を設置するので、本体１０は自然に透明の目視窓を形成して、ユーザは測った温度を目視することができる。
フレキシブルボディー２０には本体１０を覆った両側に一体化のように適当な突出紋２２を成型して、本体１０を飾る美観効果がある以外、利便に人体の手部で握られる。
【００２６】
フレキシブルボディー２０には、一体化のように防水効果を具有する押し部２３が成型される。それは、本体１０の中における回路基板１１に設けるスイッチ１１２に対応する。押し部２３の周縁に、環状溝２３１がある。それで、押し部２３は優れた押し変形程度を具有するので、押しているうちに、別の硬質材料がいらなくて、直接本体１０の中における回路基板１１に設けるスイッチ１１２を押しても良い。よって、製造コストを省く効果が得られる。
【００２７】
フレキシブルボディー２０は本体１０を適当に覆う以外、前方へ向かって延ばされ、前細尾粗という測量端２４を形成する。測量端２４の末端に、適当な長さを持ち、表面が適当に露出される硬質接続ユニット３０（例えば、プラスチック材料）を接続する。それで、金属のヘッド１３を結ぶ。硬質接続ユニット３０と測量端２４との接続箇所に歯部３１があるので、接続ユニット３０と軟性のフレキシブルボディー２０とが噛み合うことにより、連結の構造を強化させる。なお、測量端２４と本体１０との接続箇所におけるフレキシブルボディー２０に、同じ歯部３１を設置してもよい。
【００２８】
図１０を御覧下さい。本実施例により測っているうちに、体温計のフレキシブルボディー２０の測量端２４が折り曲げられても、本実施例の硬質接続ユニット３０が適当な長さを具有するので、測量端２４の受けた応力がより大きな内法口径の根部に集中し、つまり、測量端２４の根部のみが折り曲げられるように測量端２４の優れた結構強度が得られる。温度を測る場合に、測量端２４が何回折り曲げられても、測量端２４が断ち切られなくて、安全性がある。また、硬質接続ユニット３０の表面がすべすべとしているように外部から露出されるので、温度を測っているうちに、汚れが付き難く、簡易に汚れを拭いて、衛生安全性を具有する。
【００２９】
図１１を御覧下さい。本実施例の本体１０は透明の材料から作られる。本体１０の覆われたフレキシブルボディー２０の上下表面に開口部２１が用意されるので、本体１０に透明の目視窓が自然に形成される。さらに、上下パネル７０を貼り付けて、透明の目視窓を縮める。それで、測った温度を目視できる。パネル７０の押し合い力を経由して、フレキシブルボディー２０の一体化成型された押し部２３は位置決めるように固定される。
【００３０】
以上の内容をまとめると、本実施例の体温計の測量端は強い結構強度、優れた結合強度および立派な安全性などの効果がある。また、体温計の全体は良い衛生性、低い製造コスト、製造簡易、少ない加工プロセス、利便に握ることおよび美観など効果も発揮される。よって、本発明は従来から、既存の測量端を持つ体温計の欠陥を突破するばかりでなく、相関的技術内容もいままで公開されていないので、特許の要旨にぴったり合う。
【図面の簡単な説明】
【００３１】
【図１】従来の軟質電子体温計の分解斜視図である。
【図２】従来の軟質電子体温計の側面図である。
【図３】従来の軟質電子体温計の測量端が折り曲げられる状態を示す模式図である。
【図４】従来の体温計の外観および折り曲げられたプロッブの模式図である。
【図５】従来の体温計の局部の断面図である。
【図６】本発明の一実施例によるフレキシブル構造を持つ電子体温計を示す斜視図である。
【図７】本発明の一実施例によるフレキシブル構造を持つ電子体温計を示す上面図である。
【図８】本発明の一実施例によるフレキシブル構造を持つ電子体温計を示す分解斜視図である。
【図９】本発明の一実施例によるフレキシブル構造を持つ電子体温計を示す断面図である。
【図１０】本発明の一実施例によるフレキシブル構造を持つ電子体温計の測量端が折り曲げられる状態を示す模式図である。
【図１１】本発明の他の実施例によるフレキシブル構造を持つ電子体温計を示す分解斜視図である。
【符号の説明】
【００３２】
１０  本体、１１  回路基板、１２  カバー、１３  金属ヘッド、２０  フレキシブルボディー、２１  開口部、２２  突出紋、２３  押し部、２４  測量端、３０  硬質接続ユニット、３１  歯部、７０  パネル、１１２  スイッチ、１２１  内凹縁、２３１  環状溝、２４１  突出壁、２４２  ロック溝
【図１】
0004842504.tif 000002
【図２】
0004842504.tif 000003
【図３】
0004842504.tif 000004
【図４】
0004842504.tif 000005
【図５】
0004842504.tif 000006
【図６】
0004842504.tif 000007
【図７】
0004842504.tif 000008
【図８】
0004842504.tif 000009
【図９】
0004842504.tif 000010
【図１０】
0004842504.tif 000011
【図１１】
0004842504.tif 000012